(57)【要約】【課題】  携帯に便利で、簡単に組み立てられるだけでなく、ペットへの給餌・給水に使用した後も、飼い主が衛生的かつ手や衣服を汚さずに取り扱うことができる携帯用ペット飲食容器を提供する。【解決手段】  ペットボトル等の容器を収容する本体部と、該本体部の外側面部に着脱可能に取り付けられた折り畳み構造を有する皿部とから構成し、該皿部は携帯時には平面状に折り畳んで前記本体部の外側面部に沿って巻き付けて固定し、使用時には前記本体部から取り外して皿の形状に展開することによりペットの給餌・給水用皿が作製される。【選択図】図１
0003161346.tif 000002
【実用新案登録請求の範囲】
【請求項１】
ペットボトル等の容器を収容する本体部と、該本体部の外側面部に着脱可能に取り付けられた折り畳み構造を有する皿部とからなる携帯用ペット飲食容器であって、前記皿部は、携帯時には平面状に折り畳んで前記本体部の外側面部に沿って巻き付けて固定し、使用時には前記本体部から取り外して皿の形状に展開することによりペットの給餌・給水用皿が作製されることを特徴とする携帯用ペット飲食容器。
【請求項２】
前記本体部と前記皿部は、相互に対応する一つ又は複数の着脱手段を有することを特徴とする請求項１に記載の携帯用ペット飲食容器。
【考案の詳細な説明】
【技術分野】
【０００１】
本考案は携帯用ペット飲食容器に係り、特に携帯に便利で、簡単に組み立てられる携帯用ペット飲食容器に関する。
【背景技術】
【０００２】
ペットへの給餌・給水用の飲食容器としては、防汚性を考慮して一般にプラスティック等の樹脂製あるいは金属製、陶器製の給餌・給水用皿が用いられている。こうした固定形状の皿はペットを飼育する場所に置いて使用するには適しているが、ペットを外出に連れ出して出先で使用するには、嵩張るだけでなくペットの餌や水の容器とは別個に持ち運ばなければならず、携帯には不便であった。また、給餌・給水の後にいちいち洗浄しなければ、携帯中に衣服等に触れてそれを汚すおそれもあった。
【０００３】
ペット、特に犬の散歩の際に餌や水を携行する機会は多く、近年では「ドッグラン」と呼ばれる犬を放して自由に遊ばせるための専用施設も普及している。公園やドッグランには水道が完備されている場合が多いが、衛生上・マナー上の観点から、飼い主は個々に犬用の給水皿を持参することが望ましく、水道が手近にない場合には、ペットボトル等の容器に水を入れて給水皿とともに携帯する必要がある。そのため、水の容器と一緒に携帯でき、しかも嵩張らず衛生的で防汚性に優れた携帯用給水器具の開発が望まれていた。
【０００４】
前記の要件に対応するための携帯用給水器具として、図６及び図７に示すものが知られている（特許文献１参照）。この携帯用ペット飲食容器は、ペットボトル等の容器の胴回りに巻回されるシートと、該シートを前記ペットボトル等の容器に巻回した後に該巻回状態を保持するため該シートに配設された該シート同士を固着若しくは解除自在とする着脱手段とを備え、前記シートを前記ペットボトル等の容器から取り外した後、着脱手段の固着によりペットの飲食容器が作製されるようになっている。
【特許文献１】特開２００６−１５８２５９号公報
【考案の開示】
【考案が解決しようとする課題】
【０００５】
しかしながら、特許文献１に記載の携帯用ペット飲食容器は、前記ペットボトル等の容器の胴回りに巻回して容器のカバーとするシート自体がペットの飲食容器となるため、ペットの飲食容器を作製して使用する際に餌や水を入れる該シートの表面が、使用後に再び容器の胴回りに巻回した際に容器の表面に直接触れることになる。また、これを避けるために該シートを裏返して容器に巻回せるようにしたとしても、今度は該シートの表面が容器の外側面に向き、飼い主の手や衣服に直接触れることになる。
【０００６】
つまり、この携帯用ペット飲食容器は、ペットボトル等の容器と一体的に携帯でき、使用時には容器から取り外して容易にペットの飲食容器を作製できるという利点を有するものの、その構造上、ペットに餌や水を与えた後は必ず水道等で洗浄しなければ衛生上・防汚上の問題を生じるという欠点を有しているのである。
【０００７】
ここで、たとえば当初から犬用の水を入れた専用のペットボトル等を用意することで衛生面の問題はある程度軽減できるが、ドッグラン等においては、飼い主自身が飲むための飲料水を飼い犬にも飲ませることも多い。このように、人間と犬とでペットボトル等の容器を共用する場合には、犬が使用した後の餌や水の残りが付着したシート表面が容器に直接触れることになり衛生上問題がある。また、専用のペットボトルを用意するしないに関わらず、携帯時には飼い主の手や衣服を汚したりする可能性も高い。こうした問題を防ぐためには、給餌・給水の都度、水道等でシートを洗浄して乾かさなければならず、著しく不便である。
【０００８】
本考案は、このような従来の課題に鑑みてなされたものであり、携帯に便利で、簡単に組み立てられるだけでなく、ペットへの給餌・給水の後も飼い主が衛生的かつ手や衣服を汚さずに取り扱うことができる携帯用ペット飲食容器を提供することを目的とする。
【課題を解決するための手段】
【０００９】
このため本出願の請求項１に記載の考案は、ペットボトル等の容器を収容する本体部と、該本体部の外側面部に着脱可能に取り付けられた折り畳み構造を有する皿部とからなる携帯用ペット飲食容器であって、前記皿部は、携帯時には平面状に折り畳んで前記本体部の外側面部に沿って巻き付けて固定し、使用時には前記本体部から取り外して皿の形状に展開することによりペットの給餌・給水用皿が作製されることを特徴とする。
【００１０】
請求項１に記載の考案によれば、そもそもペットに給餌・給水するための皿部を本体部から分離し、本体部内のペットボトル等から皿部に水を注いで使用する構造を有するから、ペットが本体部及びペットボトル等に直接触れることはなく衛生的である。従って、ペットボトル等の容器はペット専用のものであっても、人間用のものであっても構わない。また、皿部は折り畳み構造を有しており、携帯時は本体部の外側面部に巻回して固定できるよう平面状に折り畳め、給餌・給水用の皿としての使用時は本体部から取り外して単に開くだけで皿状の形状に展開できるようになっている。そのため、前記特許文献１に記載の考案に比べても、より簡易に給餌・給水皿を組み立てることが可能である。
【００１１】
なお、前記皿部は防水性を有するシートを立体縫製して形成し、折り畳んだ状態では、展開時に餌や水を入れる皿の内側に当たる部分が内面に畳み込まれ、外部に露出しない形状となるようにする。これにより、皿部を折り畳んで本体部に固定するだけで、皿部内側に付着した餌や水の残りが本体部あるいは飼い主の手や衣服に付着するおそれなく本ペット飲食容器を携帯することができる
【００１２】
また、前記本体部は、底部が塞がり頂部が開口した布製の円筒容器であって、標準的なペットボトルを収容できる大きさとする。開口部には、収容したペットボトルが容易に脱落してしまわないようにペットボトルの頂部（飲み口部）を貫通させて肩部を抑止するフラップを設けることが望ましい。
【００１３】
さらに、前記本体部の内面にはシート状の断熱材を内張りすることが望ましい。該断熱材の保温・保冷効果により、たとえば外出時に自動販売機等で購入したペットボトル入り飲料の温度をある程度保ち、特に夏場の炎天下のドッグラン等において、飼い主もペットも冷たい水が飲めるようにできる。
【００１４】
さらに、前記本体部の外側面の適宜な位置には、携帯時に飼い主の衣服ベルト等に本体部を係止するための係止具を取り付けておくことが望ましい。これにより、飼い主はドッグラン等において手ぶらでペットと共に走り回って遊び、任意の場所でペットに水を与えることができるようになる。
【００１５】
請求項２に記載の考案は、請求項１に記載の考案において、前記本体部と前記皿部は、相互に対応する一つ又は複数の着脱手段を有することを特徴とする。
【００１６】
請求項２に記載の考案によれば、本体部側に固定された着脱手段と皿部に取り付けられた着脱手段が互いに対応しており、これら着脱手段を締結させた状態においては、皿部は本体部に着脱手段を介して固定される。そのため、たとえば折り畳んだ状態の皿部の二端に取り付けたベルト等で皿部を本体部に巻回した際に本体部を締め付けて固定するといった着脱手段に比べ、携帯中に締め付けが緩んで皿部が本体部から脱落するおそれもない。また、本体部を布製とした場合に、収容したペットボトル内の水量が減ってペットボトルが変形し易くなり、皿部が脱落することも防げる。
【００１７】
前記着脱手段としては、小型の樹脂製バックルの雄部と雌部を、それぞれ丈夫なベルトで本体部、皿部に固着する方法が好適であり、また、バックルとベルトに代えて双方に貼剥自在の布製テープ等を用いても良いが、皿部が本体部から予期せず脱落せぬよう固定でき、かつ自由に着脱可能とするものであればこれらに限るものではない。
【考案の効果】
【００１８】
以上説明したように、本考案によれば、携帯に便利で、簡単に組み立てられるだけでなく、ペットへの給餌・給水に使用した後も、飼い主が衛生的かつ手や衣服を汚さずに取り扱うことができる携帯用ペット飲食容器を実現することができる。本考案では、多くの場所で調達できる市販のペットボトル飲料（ミネラルウォーター等）をそのままペットへの給水に使用し、かつ、飼い主自身も衛生的に同じ飲料を飲むことができるだけでなく、給餌・給水の後にいちいち皿部を洗浄する必要がない。そのため、水道栓が整備されていない、あるいは手近にない場所においても、飼い主は気軽にペットに給餌・給水を行えるので、公園やドッグラン、あるいは旅行先等にペットを連れて行く際の利便性を大幅に高めることができるものである。
【考案を実施するための最良の形態】
【００１９】
以下、本考案の実施形態について図１乃至図５を用いて詳細に説明する。図１は本考案に係る携帯用ペット飲食容器を正面斜め方向から見た斜視図であり、図２は同じく背面斜め方向から見た斜視図である。１０は飲料水が入ったペットボトル、１１は同じくペットボトルの飲み口キャップを示している。
【００２０】
携帯用ペット飲食容器は、大きく分けて、円筒状に形成された布製の本体部２０と、防水シートを皿状に立体縫製した上で二つ折りに折り畳んだ皿部３０とから構成される。図１に示す通り、本体部２０は本体底部２３が塞がれている一方、頂部は開口しており、本体開口部２２から挿入したペットボトル１０を内部に収容する。また、本体胴部２１及び本体底部２３の内側にはシート状の断熱材（図示せず）が貼り付けられている。本体開口部２２にはゴム等の弾性体が縫い込まれており、収容したペットボトル１０の肩部に密着して本体部２０を密閉し、前記断熱材による保温・保冷効果を高める役割を果たす。さらに、本体開口部２２の背面側には本体フラップ２３が縫い付けられており、ペットボトル１０を収容した後でフラップ２４を飲み口キャップ部１１を通す形で本体胴部２０の前面に下ろし、本体胴部２０の外面とフラップ２４の裏面に貼り付けてある貼剥可能なテープにてフラップ２４を固定することにより、ペットボトル１０が本体部２０から脱落することを防ぐ。
【００２１】
図２に示す通り、本体胴部２１の背面下部表面には本体部側バックルベルト２５が２本、背面中央線付近に縫い付けられており、該本体部側バックルベルト２５の先端にはそれぞれバックル３４の雄部（又は雌部）が取り付けられている。また、本体胴部２１の背面上部には係止金具ベルト２６が背面中央線付近に縫い付けられており、該係止金具ベルト２６の先端には係止金具２７が取り付けられている。係止金具２７は開放又は閉鎖が可能な金属環であり、飼い主の衣服ベルト等に通して閉鎖することにより、本体部２０を手に持つことなく携帯できるようにする。
【００２２】
一方、皿部３０は器部３２に縁ベルト部３１を縫い付けて立体的に皿の形状に形成しており、器部３２は内面を防水コーティングした布製あるいは単純な防水ビニールシート等を用いても良い。縁ベルト部３１は強度の高い布製の円環状とし、器部３２の上縁を挟み込むように縫い付けてある。また、縁ベルト部３１には、皿部を折り畳んだ際の平面両端部（円環の直径両端部）となる位置にそれぞれ皿部側バックルベルト３３が縫い付けられており、該皿部側バックルベルト３３の先端にはそれぞれバックル３４の雌部（雄部）が取り付けられている。皿部３０は、携帯時には折り畳んで本体胴部２１の正面側に巻き付けられ、２セットのバックル３４の結合によって本体部２０に装着される。皿部３０の使用時には、バックル３４を分離した後、使用者が縁ベルト部３１を２箇所でつまんで開くことにより、皿部３０は立体的な皿状に展開されるのである。
【００２３】
図３は、皿部３０を本体部２０から分離した直後の状況を示すものである。使用者は縁ベルト部３１の中央部２箇所を、それぞれ矢印の方向に引き離すようにひっぱりながら皿部３０を展開する。
【００２４】
図４は、皿部３０の展開途中の形状を上方から見た様子を示すものであり、図５は、皿部３０が完全に展開されて皿の立体形状が完成した状況を示すものである。展開が完了して形成された皿の中にペットボトルから飲料水を注ぐと、飲料水の重量により布製の器部３２が展張する一方、縁ベルト部３１も真円形に展張して皿の縁を形成し、皿部３０は円形の皿の形状で安定するので、一杯にまで飲料水を満たしても外部にこぼれることはない。
【００２５】
なお、皿部３０の折り畳み方法は任意であるが、展開時の器部３１の底面の直径線（２つのバックル３４の位置を結んだ線）が峰を形成し、該峰に沿ってその両側に谷を形成するように折り畳めば、最も簡易に皿部３０全体を平面状に折り畳むことができる。
【００２６】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものである。
【図面の簡単な説明】
【００２７】
【図１】本考案に係る携帯用ペット飲食容器を正面斜め方向から見た斜視図
【図２】同背面斜め方向から見た斜視図
【図３】本体部から分離した直後の皿部の状況を示す斜視図
【図４】同皿部の展開途中の形状を上方から見た様子を示す斜視図
【図５】同皿部が完全に展開されて皿の立体形状が完成した状況を示す斜視図
【図６】従来の携帯用ペット飲食容器の斜視図（携帯時）
【図７】同（使用時）
【符号の説明】
【００２８】
１０  ペットボトル（本体）
１１  ペットボトル（飲み口キャップ
２０  本体部
２１  本体胴部
２２  本体開口部
２３  本体底部
２４  フラップ
２５  本体部側バックルベルト
３０  皿部
３１  縁ベルト部
３２  器部
３３  皿部側バックルベルト
３４  バックル
【図１】
0003161346.tif 000003
【図２】
0003161346.tif 000004
【図３】
0003161346.tif 000005
【図４】
0003161346.tif 000006
【図５】
0003161346.tif 000007
【図６】
0003161346.tif 000008
【図７】
0003161346.tif 000009